(57)【特許請求の範囲】
【請求項１】
上面と、上面の前後端縁および左右端縁にそれぞれ連続する前後側面および左右側面と、前後側面および左右側面の各下端縁に連続する傾斜底面とを有して縦断面略台形状に形成され、前記上面に少なくとも１個の貯水部が形成され、また、前記傾斜底面にその後端縁から前端縁にかけて１個または複数個の排水通路が形成されていることを特徴とする植栽用保水排水ブロック。
【請求項２】
前記前側面または後側面もしくは前側面および後側面にその上端縁から傾斜底面の排水通路に連通する少なくとも１個の縦排水溝が形成されていることを特徴とする請求項１記載の植栽用保水排水ブロック。
【請求項３】
前記貯水部に上面よりも上方に突出する１個または複数個の凸部が形成されていることを特徴とする請求項１または２記載の植栽用保水排水ブロック。
【請求項４】
前記上面に複数個の貯水部が形成されるとともに、その一端縁から対向する他端縁にかけて隣接する貯水部を区画する排水溝が形成されていることを特徴とする請求項１、２または３記載の植栽用保水排水ブロック。
【請求項５】
請求項１、２、３または４記載の植栽用保水排水ブロックをその傾斜底面を下方に向けて人工地盤などの傾斜面に、法尻側の植栽用保水排水ブロックの後側面と法肩側の植栽用保水排水ブロックの前側面を突き合わせて順次配設し、階段状に形成された複数個の植栽用保水排水ブロックに透水シートを介して植栽用土壌を敷設して客土層を形成することを特徴とする施工方法。
【請求項６】
高さが異なる少なくとも２個以上の上面と、最下方の上面の前端縁に連続する前側面と、最上方の上面の後端縁に連続し、前記前側面と同一高さの後側面と、上方の上面の前端縁およびその下方の上面の後端縁に連続する１個または複数個の中間前側面と、各上面、前後側面および中間前側面の各左右端縁にそれぞれ連続する左右側面と、前後側面および左右側面の各下端縁に連続する傾斜底面とを有して縦断面略階段状に形成され、前記各上面に少なくとも１個の貯水部がそれぞれ形成され、また、前記傾斜底面にその後端縁から前端縁にかけて１個または複数個の排水通路が形成されていることを特徴とする植栽用保水排水ブロック。
【請求項７】
前記前側面または後側面もしくは前側面および後側面にその上端縁から傾斜底面の排水通路に連通する１個または複数個の縦排水溝が形成され、また、少なくとも１個の中間前側面にその上端縁から下端縁にかけて縦排水溝が形成されるとともに、該縦排水溝と傾斜底面の排水通路とを連通する排水孔が形成されていることを特徴とする請求項６記載の植栽用保水排水ブロック。
【請求項８】
前記各上面の貯水部に該上面よりも上方に突出する１個または複数個の凸部がそれぞれ形成されていることを特徴とする請求項６または７記載の植栽用保水排水ブロック。
【請求項９】
前記各上面に複数個の貯水部がそれぞれ形成されるとともに、その一端縁から対向する他端縁にかけて隣接する貯水部を区画する排水溝が形成され、また、最下方の上面の前端縁および最上方の上面の後端縁に前記排水溝の略半分の大きさの切欠部が形成されていることを特徴とする請求項６、７または８記載の植栽用保水排水ブロック。
【請求項１０】
請求項６、７、８または９記載の植栽用保水排水ブロックをその傾斜底面を下方に向けて人工地盤などの傾斜面に、法尻側の植栽用保水排水ブロックの後側面と法肩側の植栽用保水排水ブロックの前側面を突き合わせて順次配設し、階段状に形成された複数個の植栽用保水排水ブロックに透水シートを介して植栽用土壌を敷設して客土層を形成することを特徴とする施工方法。
【請求項１１】
高さが異なる少なくとも２個以上の上面と、最下方の上面の前端縁に連続する前側面と、最上方の上面の後端縁に連続する後側面と、上方の上面の前端縁およびその下方の上面の後端縁に連続する１個または複数個の中間前側面と、各上面、前後側面および中間前側面の各左右端縁にそれぞれ連続する左右側面と、前後側面および左右側面の各下端縁に連続する傾斜底面とを有して縦断面略階段状に形成され、前記各上面に少なくとも１個の貯水部がそれぞれ形成され、また、前記傾斜底面にその後端縁から前端縁にかけて１個または複数個の排水通路が形成されていることを特徴とする植栽用保水排水ブロック。
【請求項１２】
前記前側面または後側面もしくは前側面および後側面にその上端縁から傾斜底面の排水通路に連通する１個または複数個の縦排水溝が形成され、また、少なくとも１個の中間前側面にその上端縁から下端縁にかけて縦排水溝が形成されるとともに、該縦排水溝と傾斜底面の排水通路とを連通する排水孔が形成されていることを特徴とする請求項１１記載の植栽用保水排水ブロック。
【請求項１３】
前記各上面の貯水部に該上面よりも上方に突出する１個または複数個の凸部がそれぞれ形成されていることを特徴とする請求項１１または１２記載の植栽用保水排水ブロック。
【請求項１４】
前記各上面に複数個の貯水部がそれぞれ形成されるとともに、その一端縁から対向する他端縁にかけて隣接する貯水部を区画する排水溝が形成されていることを特徴とする請求項１１、１２または１３記載の植栽用保水排水ブロック。
【請求項１５】
請求項１１、１２、１３または１４記載の植栽用保水排水ブロックをその傾斜底面を下方に向けて人工地盤などの傾斜面に、法尻側の植栽用保水排水ブロックの後側面と法肩側の植栽用保水排水ブロックの前側面を突き合わせて順次配設し、階段状に形成された複数個の植栽用保水排水ブロックに透水シートを介して植栽用土壌を敷設して客土層を形成することを特徴とする施工方法。
【発明の詳細な説明】
【０００１】
【発明の属する技術分野】
本発明は、例えば、建物の屋上やテラスなどの人工地盤などを植栽する際に使用される植栽用保水排水ブロックおよび植栽用保水排水ブロックを用いた施工方法に関するものである。
【０００２】
【従来の技術】
近年、都市緑化の一環として建物の屋上やテラスなどの人工地盤上に土壌を敷設し、植栽を施すことが行われている。この場合、スラブには、荷重制限があり、軽量性が要求されるとともに、雨水や散水のために排水性が必要となる他、建物の屋上などは、風当たりの強い場所であることから、土壌が乾燥しやすく、保水性も要求される。また、植物にとっては、酸素を摂取する必要があることから、通気性をも要求される。これらの環境を備えることにより、植物は、湿潤状態の空気層から酸素、水分、養分を根を通して摂取し、生育するものである。
【０００３】
このような観点から、人工地盤を植栽するに際しては、特開平６−２２５６２７号公報および特開平５−１１５２２０号公報に記載される植栽用パネルが提案されている。
【０００４】
【発明が解決しようとする課題】
ところで、前述した植栽用パネルは、平坦な人工地盤上に設置されることから、このような植栽用パネルを人工地盤の傾斜面に配置し、その上に透水シートを介して植栽用土壌を敷設して客土層を形成し、植栽を施すために作業者が客土層上に乗った際や豪雨時においては、土壌が不安定となり、傾斜面を滑落するおそれがある。
【０００５】
また、傾斜面の上部（法肩）の土壌は乾燥が早く、水分不足になりやすいのに対し、その下部（法尻）の土壌は上部からの水分が流入して過剰気味となることから、傾斜面の上部と下部とでは、土壌水分を均一に維持することができない。この結果、傾斜面の上部と下部とで植物の生育状態が異なったり、植物が枯れるなどのおそれがある。
【０００６】
本発明は、このような問題点に鑑みてなされたもので、人工地盤や盛土などの傾斜面に植栽を施すことのできる植栽用保水排水ブロックおよび植栽用ブロックを用いた施工方法を提供するものである。
【０００７】
【課題を解決するための手段】
請求項１記載の発明は、上面と、上面の前後端縁および左右端縁にそれぞれ連続する前後側面および左右側面と、前後側面および左右側面の各下端縁に連続する傾斜底面とを有して縦断面略台形状に形成され、前記上面に少なくとも１個の貯水部が形成され、また、前記傾斜底面にその後端縁から前端縁にかけて１個または複数個の排水通路が形成されていることを特徴とするものである。
【０００８】
この発明によれば、植栽用保水排水ブロックを人工地盤などの傾斜面に、法尻側の植栽用保水排水ブロックの後側面と法肩側の植栽用保水排水ブロックの前側面とを突き合わせて順次配設することができる。そして、階段状に形成された複数個の植栽用保水排水ブロックに透水シートを介して植栽用土壌を敷設して客土層を形成することができる。
【０００９】
この結果、人工地盤などの傾斜面に客土層を形成する際、雨などに影響されることなく作業を行うことができるとともに、客土層上に作業者が乗った場合や豪雨時においても、客土層は階段状に形成された複数個の植栽用保水排水ブロックによって安定して支持され、客土層の滑落を確実に防止することができる。また、客土層に散布された灌水や雨水は、客土層および透水シートを浸透して各植栽用保水排水ブロックの貯水部に一旦貯留され、蒸発水として客土層の底部を潤して客土層の乾燥を遅延させることから、客土層の法尻側および法肩側の水分を均一に維持することができる。さらに、貯水部から溢れ出た余剰水は、前後側面や左右側面を伝って人工地盤などの傾斜面に達し、傾斜底面の排水通路を通過して速やかに排水される。
【００１０】
本発明において、前側面または後側面もしくは前側面および後側面にその上端縁から傾斜底面の排水通路に連通する少なくとも１個の縦排水溝が形成されていると、各植栽用保水排水ブロックの貯水部から溢れ出た余剰水は、縦排水溝を通しても人工地盤などの傾斜面に流下する。したがって、各植栽用保水排水ブロック毎に余剰水を排水することができ、法尻側の植栽用保水排水ブロックに余剰水が集まることを確実に防止できる。
【００１１】
本発明において、貯水部に上面よりも上方に突出する１個または複数個の凸部が形成されていると、植栽用保水排水ブロックに透水シートを敷設することにより、上面と、凸部の頂面に支持された透水シートとの間に空隙部を形成することができる。この空隙部は、貯水部に貯留された水の蒸発水により湿気が充満した状態となるため、客土層に植物の根に酸素と水分あるいは養分水を供給することが可能となり、植物にとって好ましい生育環境を付与することができる。
【００１２】
本発明において、上面に複数個の貯水部が形成されるとともに、その一端縁から対向する他端縁にかけて隣接する貯水部を区画する排水溝が形成されていると、貯水部から溢れ出た余剰水を排水溝を通しても前後側面や左右側面に導くことができことから、より速やかに人工地盤などの傾斜面に排水することができる。
【００１３】
請求項５記載の発明は、請求項１、２、３または４記載の植栽用保水排水ブロックをその傾斜底面を下方に向けて人工地盤などの傾斜面に、法尻側の植栽用保水排水ブロックの後側面と法肩側の植栽用保水排水ブロックの前側面を突き合わせて順次配設し、階段状に形成された複数個の植栽用保水排水ブロックに透水シートを介して植栽用土壌を敷設して客土層を形成することを特徴とするものである。
【００１４】
この発明によれば、客土層に散水された灌水や雨水は、各植栽用保水排水ブロックの貯水部に一旦貯留されるので、この貯水部からの蒸発水により客土層の底部に水分を供給することができる。したがって、客土層に植栽を施した場合、植物の根は、客土層に供給された水分を吸水することができるとともに、透水シートを突き破って侵入してきた植物の根は、貯水部に貯留された水から直接吸水することができ、植物を順調に生育することができる。
【００１５】
請求項６記載の発明は、高さが異なる少なくとも２個以上の上面と、最下方の上面の前端縁に連続する前側面と、最上方の上面の後端縁に連続し、前記前側面と同一高さの後側面と、上方の上面の前端縁およびその下方の上面の後端縁に連続する１個または複数個の中間前側面と、各上面、前後側面および中間前側面の各左右端縁にそれぞれ連続する左右側面と、前後側面および左右側面の各下端縁に連続する傾斜底面とを有して縦断面略階段状に形成され、前記各上面に少なくとも１個の貯水部がそれぞれ形成され、また、前記傾斜底面にその後端縁から前端縁にかけて１個または複数個の排水通路が形成されていることを特徴とするものである。
【００１６】
この発明によれば、植栽用保水排水ブロックを人工地盤などの傾斜面に、法尻側の植栽用保水排水ブロックの後側面と法肩側の植栽用保水排水ブロックの前側面とを突き合わせて順次配設することができる。そして、階段状に形成された複数個の植栽用保水排水ブロックに透水シートを介して植栽用土壌を敷設して客土層を形成することができる。
【００１７】
この結果、人工地盤などの傾斜面に客土層を形成する際、雨などに影響されることなく作業を行うことができるとともに、客土層上に作業者が乗った場合や豪雨時においても、客土層は階段状に形成された複数個の植栽用保水排水ブロックによって安定して支持され、客土層の滑落を確実に防止することができる。また、客土層に散布された灌水や雨水は、客土層および透水シートを浸透して各植栽用保水排水ブロックの貯水部に一旦貯留され、蒸発水として客土層の底部を潤して客土層の乾燥を遅延させることから、客土層の法尻側および法肩側の水分を均一に維持することができる。さらに、貯水部から溢れ出た余剰水は、前後側面や左右側面を伝って人工地盤などの傾斜面に達し、傾斜底面の排水通路を通過して速やかに排水される。
【００１８】
本発明において、前側面または後側面もしくは前側面および後側面にその上端縁から傾斜底面の排水通路に連通する１個または複数個の縦排水溝が形成され、また、少なくとも１個の中間前側面にその上端縁から下端縁にかけて縦排水溝が形成されるとともに、該縦排水溝と傾斜底面の排水通路とを連通する排水孔が形成されていると、各植栽用保水排水ブロックの貯水部から溢れ出た余剰水は、縦排水溝を通しても人工地盤などの傾斜面に流下する。したがって、各植栽用保水排水ブロック毎に余剰水を排水することができ、法尻側の植栽用保水排水ブロックに余剰水が集まることを確実に防止できる。
【００１９】
本発明において、各上面の貯水部に該上面よりも上方に突出する１個または複数個の凸部がそれぞれ形成されていると、植栽用保水排水ブロックに透水シートを敷設することにより、各上面と、凸部の頂面に支持された透水シートとの間にそれぞれ空隙部を形成することができる。この空隙部は、貯水部に貯留された水の蒸発水により湿気が充満した状態となるため、客土層に植物の根に酸素と水分あるいは養分水を供給することが可能となり、植物にとって好ましい生育環境を付与することができる。
【００２０】
本発明において、各上面に複数個の貯水部がそれぞれ形成されるとともに、その一端縁から対向する他端縁にかけて隣接する貯水部を区画する排水溝が形成され、また、最下方の上面の前端縁および最上方の上面の後端縁に前記排水溝の略半分の大きさの切欠部が形成されていると、各上面の各貯水部から溢れ出た余剰水を各上面の排水溝を通しても前後側面や左右側面に導くことができることから、より速やかに人工地盤などの傾斜面に排水することができる。また、法尻側の植栽用保水排水ブロックと、法肩側の植栽用保水排水ブロックとを突き合わせることにより、それらの後端縁および前端縁の切欠部によって形成される排水溝を通してもが前後側面や左右側面に導くことができる。
【００２１】
請求項１０記載の発明は、請求項６、７、８または９記載の植栽用保水排水ブロックをその傾斜底面を下方に向けて人工地盤などの傾斜面に、法尻側の植栽用保水排水ブロックの後側面と法肩側の植栽用保水排水ブロックの前側面を突き合わせて順次配設し、階段状に形成された複数個の植栽用保水排水ブロックに透水シートを介して植栽用土壌を敷設して客土層を形成することを特徴とするものである。
【００２２】
この発明によれば、客土層に散水された灌水や雨水は、各植栽用保水排水ブロックの貯水部に一旦貯留されるので、この貯水部からの蒸発水により客土層の底部に水分を供給することができる。したがって、客土層に植栽を施した場合、植物の根は、客土層に供給された水分を吸水することができるとともに、透水シートを突き破って侵入してきた植物の根は、貯水部に貯留された水から直接吸水することができ、植物を順調に生育することができる。
【００２３】
請求項１１記載の発明は、高さが異なる少なくとも２個以上の上面と、最下方の上面の前端縁に連続する前側面と、最上方の上面の後端縁に連続する後側面と、上方の上面の前端縁およびその下方の上面の後端縁に連続する１個または複数個の中間前側面と、各上面、前後側面および中間前側面の各左右端縁にそれぞれ連続する左右側面と、前後側面および左右側面の各下端縁に連続する傾斜底面とを有して縦断面略階段状に形成され、前記各上面に少なくとも１個の貯水部がそれぞれ形成され、また、前記傾斜底面にその後端縁から前端縁にかけて１個または複数個の排水通路が形成されていることを特徴とするものである。
【００２４】
この発明によれば、植栽用保水排水ブロックを人工地盤などの傾斜面に、法尻側の植栽用保水排水ブロックの後側面と法肩側の植栽用保水排水ブロックの前側面とを突き合わせて順次配設することができる。そして、階段状に形成された複数個の植栽用保水排水ブロックに透水シートを介して植栽用土壌を敷設して客土層を形成することができる。
【００２５】
この結果、人工地盤などの傾斜面に客土層を形成する際、雨などに影響されることなく作業を行うことができるとともに、客土層上に作業者が乗った場合や豪雨時においても、客土層は階段状に形成された複数個の植栽用保水排水ブロックによって安定して支持され、客土層の滑落を確実に防止することができる。また、客土層に散布された灌水や雨水は、客土層および透水シートを浸透して各植栽用保水排水ブロックの貯水部に一旦貯留され、蒸発水として客土層の底部を潤して客土層の乾燥を遅延させることから、客土層の法尻側および法肩側の水分を均一に維持することができる。さらに、貯水部から溢れ出た余剰水は、前後側面や左右側面を伝って人工地盤などの傾斜面に達し、傾斜底面の排水通路を通過して速やかに排水される。
【００２６】
本発明において、前側面または後側面もしくは前側面および後側面にその上端縁から傾斜底面の排水通路に連通する１個または複数個の縦排水溝が形成され、また、少なくとも１個の中間前側面にその上端縁から下端縁にかけて縦排水溝が形成されるとともに、該縦排水溝と傾斜底面の排水通路とを連通する排水孔が形成されていると、各植栽用保水排水ブロックの貯水部から溢れ出た余剰水は、縦排水溝を通しても人工地盤などの傾斜面に流下する。したがって、各植栽用保水排水ブロック毎に余剰水を排水することができ、法尻側の植栽用保水排水ブロックに余剰水が集まることを確実に防止できる。
【００２７】
本発明において、各上面の貯水部に該上面よりも上方に突出する１個または複数個の凸部がそれぞれ形成されていると、植栽用保水排水ブロックに透水シートを敷設することにより、各上面と、凸部の頂面に支持された透水シートとの間にそれぞれ空隙部を形成することができる。この空隙部は、貯水部に貯留された水の蒸発水により湿気が充満した状態となるため、客土層に植物の根に酸素と水分あるいは養分水を供給することが可能となり、植物にとって好ましい生育環境を付与することができる。
【００２８】
本発明において、各上面に複数個の貯水部がそれぞれ形成されるとともに、その一端縁から対向する他端縁にかけて隣接する貯水部を区画する排水溝が形成されていると、各上面の各貯水部から溢れ出た余剰水を各上面の排水溝を通しても前後側面や左右側面に導くことができることから、より速やかに人工地盤などの傾斜面に排水することができる。
【００２９】
請求項１５記載の発明は、請求項１１、１２、１３または１４記載の植栽用保水排水ブロックをその傾斜底面を下方に向けて人工地盤などの傾斜面に、法尻側の植栽用保水排水ブロックの後側面と法肩側の植栽用保水排水ブロックの前側面を突き合わせて順次配設し、階段状に形成された複数個の植栽用保水排水ブロックに透水シートを介して植栽用土壌を敷設して客土層を形成することを特徴とするものである。
【００３０】
この発明によれば、客土層に散水された灌水や雨水は、各植栽用保水排水ブロックの貯水部に一旦貯留されるので、この貯水部からの蒸発水により客土層の底部に水分を供給することができる。したがって、客土層に植栽を施した場合、植物の根は、客土層に供給された水分を吸水することができるとともに、透水シートを突き破って侵入してきた植物の根は、貯水部に貯留された水から直接吸水することができ、植物を順調に生育することができる。
【００３１】
【発明の実施の形態】
以下、本発明の実施の形態を図面に基づいて説明する。
【００３２】
図１乃至図４には、本発明の植栽用保水排水ブロック１の一実施形態が示されている。
【００３３】
この植栽用保水排水ブロック１は、人工地盤、例えば、傾斜面ｓを有する建物Ｂの屋上スラブＳ上に客土層Ｋを形成して植栽を施す場合に使用され（図６参照）、上面２と、この上面２の前後端縁にそれぞれ連続する前側面３および後側面４と、これらの上面２および前後側面３，４の左右端縁にそれぞれ連続する左側面５および右側面６と、これらの前後側面３，４および左右側面５，６の下端縁に連続する傾斜底面７と、を有して縦断面略台形状に形成され、傾斜底面７の勾配は、屋上スラブＳの傾斜面ｓの勾配に対応して設定されている。
【００３４】
そして、上面２には、上方より見て正方形状の１個の貯水部８が該上面２よりも陥没して形成されている他、該貯水部８には、頂面が上面２よりも上方に突出して同一平面上に位置するように設定された円錐台形状の凸部９が縦横方向にそれぞれ設定間隔をおいて複数個ずつ形成されている。また、傾斜底面７には、その後端縁から前端縁にかけて１個の排水通路７１が形成されている。さらに、後側面４には、その上端縁から傾斜底面７の排水通路７１に連通する１個の縦排水溝４１が形成されている。
【００３５】
なお、この実施形態の植栽用保水排水ブロック１においては、上方より見て正方形状の１個の貯水部８を形成した場合を例示したが、円形や多角形状であってもよく、その形状および個数は任意に設定することができる他、その底面についても、平面である必要はなく、傾斜面や波形面など任意に形成することができる。
【００３６】
また、円錐台形状の凸部９を例示したが、角錐台や柱体であってもよく、その個数も任意に設定することができる。
【００３７】
さらに、後側面４に縦排水溝４１を形成した場合を例示したが、前側面３に縦排水溝を形成してもよく、また、前後両側面３，４にそれぞれ縦排水溝を形成してもよい。この場合、植栽用保水排水ブロック１の横幅に応じて任意の数の縦排水溝を形成することもできる。
【００３８】
ここで、植栽用保水排水ブロック１の材質としては、耐久性に優れるとともに、圧縮強度に優れた発泡ポリスチレンが好ましいが、発泡したポリエチレン、ポリプロピレン、ポリアミド、塩化ビニル、エポキシ、ユリア、ポリウレタンなどの樹脂の他、合成ゴム、レジンコンクリートを使用することもできる。例えば、植栽用保水排水ブロック１は、発泡剤を含有したポリスチレンなどの発泡性樹脂粒子を予備発泡し、これを成形型内で蒸気などの加熱媒体により発泡成形したビーズ成形品が好適に使用される。具体的には、発泡倍率４０倍の発泡ポリスチレンのビーズ成形品の密度は、０．０２５ｇ／ｃｍ３  である。したがって、成形品の空隙率を、例えば、４０％とした場合、植栽用保水排水ブロック１の密度は、約０．１５ｔ／ｍ３  の超軽量となり、屋上スラブＳを含む建物Ｂの躯体に作用する負荷を軽減することができる。
【００３９】
このような植栽用保水排水ブロック１を用いて屋上スラブＳを植栽緑化する場合は、次の手順にしたがって行われる。
【００４０】
まず、建物Ｂの屋上を形成する防水処理された屋上スラブＳの傾斜面ｓにその法尻から法肩に向かって法尻側の植栽用保水排水ブロック１の後側面４と法肩側の植栽用保水排水ブロック１の前側面３を突き合わせるとともに、傾斜底面７を下方に向けて順次配設する（図５参照）。そして、屋上スラブＳの傾斜面ｓに階段状に配設された複数個の植栽用保水排水ブロック１・・に土木用透水シートなどの透水シート（図示せず）を敷設した後、植栽用土壌を敷設して客土層Ｋを形成する。次いで、客土層Ｋに、例えば、芝などを植物Ｐを移植して植栽緑化するものである（図６参照）。
【００４１】
なお、植栽緑化する屋上スラブＳの面積が大きい場合には、植栽用保水排水ブロック１の横寸法をより大きく形成し、その左右側面５，６を突き合わせて傾斜面ｓの左右方向にも植栽用保水排水ブロック１を配設すればよい。
【００４２】
ここで、透水シートは、土壌の流出を防止するもので、ポリプロピレン、ポリエチレン、ポリエステルやナイロンなどのシート、あるいは、一般に「ジオテキスタイル」と称される、例えば、積水化成品工業株式会社製の「ソイレンフィルターＡ」（商品名）などの土木用不織布が用いられる。
【００４３】
また、客土層Ｋとしては、例えば、軽量土壌からなる人工土壌や天然土壌が用いられる。
【００４４】
なお、屋上スラブＳの傾斜面ｓの法尻には、通水孔を有する支持部材Ｊ（図６参照）、例えば、パンチングメタルなどが設けられており、この支持部材Ｊによって屋上スラブＳの傾斜面ｓの法尻に配設される最下段の植栽用保水排水ブロック１を支持してその滑落を防止するとともに、客土層Ｋの流出を防止している。
【００４５】
このようにして屋上スラブＳを植栽緑化した場合、散水された水や雨水は、客土層Ｋおよび図示しない透水シートを浸透して各植栽用保水排水ブロック１の貯水部８に一旦貯留される。そして、各植栽用保水排水ブロック１の貯水部８から溢れ出た余剰水は、前後側面３，４や左右側面５，６を伝って、または、縦排水溝４１を経て屋上スラブＳの傾斜面ｓに流れ込む。屋上スラブＳの傾斜面ｓに達した余剰水は、傾斜底面７の排水通路７１を通過して屋上スラブＳの傾斜面ｓに沿って流下し、最終的に支持部材Ｊを経て屋上スラブＳに形成された排水路Ｃ（図６参照）を経て流出する。
【００４６】
したがって、各植栽用保水排水ブロック１の貯水部８に一定量の水を貯留することができるので、この貯水部８からの蒸発水により客土層Ｋの底部および植物Ｐの根に水分を供給することができるとともに、客土層Ｋの乾燥を遅延させることができる。また、透水シートを突き破って侵入してきた植物Ｐの根は、貯水部８に貯留された水から直接吸水することができる。
【００４７】
一方、植栽用保水排水ブロック１上に敷設された透水シートは、その凸部９の頂面に支持されるため、該土木用透水シートと植栽用保水排水ブロック１の上面２との間に空隙部を形成することができる。この空隙部には、蒸発水分によって湿気が充満しており、透水シートの上側にある植物Ｐの根、あるいは透水シートを突き破って侵入してきた植物Ｐの根に空隙部の酸素と水分あるいは養分水を供給することができる。このため、空隙部は、植物Ｐにとって好ましい生育環境である湿潤状態の通気層と保水層を形成するものである。
【００４８】
さらに、各植栽用保水排水ブロック１の貯水部８から溢れ出た余剰水は、前後側面３，４や左右側面５，６を伝って、または、縦排水溝４１を経て屋上スラブＳの傾斜面ｓに達し、傾斜底面７の排水通路７１を通して排水されることから、各植栽用保水排水ブロック１によって流出が遮られることはない。また、各植栽用保水排水ブロック１の傾斜底面７の排水通路７１は、通気層としても機能する。
【００４９】
なお、各植栽用保水排水ブロック１の後側面４に形成された縦排水溝４１は、隣接する植栽用保水排水ブロック１，１の突き合わせ面が密封される場合においても、貯水部８から溢れ出た余剰水を確実に屋上スラブＳの傾斜面Ｓに導くために設けられる。例えば、隣接する植栽用保水排水ブロック１の後側面４と前側面３とを接着剤などで接合する場合、または、植栽用保水排水ブロック１に作用する客土層Ｋの負荷を受けて下方の植栽用保水排水ブロック１を押圧し、両植栽用保水排水ブロック１，１の突き合わせ面が密封される場合、貯水部８から溢れ出た余剰水は、後側面４の縦排水溝４１から傾斜底面７の排水通路７１に導かれ、屋上スラブＳの傾斜面ｓに沿って流下することになる。このため、法尻側の植栽用保水排水ブロック１に余剰水が集中するのを防止することができる。
【００５０】
この結果、人工地盤などの傾斜面に客土層を形成する際、雨などに影響されることなく作業を行うことができる。また、植栽を施す際などに客土層Ｋ上に作業者が乗った場合においても、または、豪雨時においても、客土層Ｋは植栽用保水排水ブロック１によって安定して支持され、客土層Ｋが滑落することを確実に防止することができるとともに、屋上スラブＳの傾斜面ｓに形成された客土層Ｋにおける法尻側および法肩側の水分を均一に維持することができる。
【００５１】
一方、図７には、前述した植栽用保水排水ブロック１の一実施形態の変形例が示されている。
【００５２】
この植栽用保水排水ブロック１も、上面２と、上面２の前後端縁にそれぞれ連続する前側面３および後側面４と、上面２および前後側面３，４の左右端縁にそれぞれ連続する左側面５および右側面と、これらの前後側面３，４および左右側面５，６の下端縁に連続し、屋上スラブＳの傾斜面ｓの勾配に対応する勾配に設定された傾斜底面７と、を有して縦断面略台形状に形成されている。
【００５３】
そして、上面２には、上方より見て正方形状の貯水部８が該上面２よりも陥没して縦横方向にそれぞれ設定間隔をおいて複数個ずつ形成されている他、各貯水部８には、頂面が上面２よりも上方に突出して同一平面上に位置するように設定された円錐台形状の凸部９が縦横方向にそれぞれ設定間隔をおいて複数個ずつ形成されている。また、上面２には、その前後端縁および左右端縁にかけて隣接する貯水部８，８を区画する排水溝２１がそれぞれ形成されている。さらに、傾斜底面７には、その後端縁から前端縁にかけて複数個の排水通路７１が形成されている。また、後側面４には、その上端縁から傾斜底面７の排水通路７１に連通する複数個の縦排水溝４１が形成されている。
【００５４】
この実施形態においても、貯水部８や凸部９の形状および個数を任意に設定することができる他、縦排水溝を前側面３、または、前後両側面３，４に形成してもよい。
【００５５】
このような植栽用保水排水ブロック１を用いて屋上スラブＳを植栽緑化する場合も、屋上スラブＳの傾斜面ｓにその法尻から法肩に向かって法尻側の植栽用保水排水ブロック１の後側面４と法肩側の植栽用保水排水ブロック１の前側面３を突き合わせるとともに、傾斜底面７を下方に向けて順次配設した後（図８参照）、透水シートを敷設するとともに、客土層Ｋを形成して植栽を施せばよい。
【００５６】
この場合、図１に示した植栽用保水排水ブロック１の上面２の縦寸法よりも本実施形態の植栽用保水排水ブロック１の上面２の縦寸法が大きくなり、客土層Ｋをより安定して支持することができる。
【００５７】
この植栽用保水排水ブロック１を用いて植栽緑化した場合においても、各植栽用保水排水ブロック１の貯水部８に一定量の水を貯留することができることから、貯水部８からの蒸発水により客土層Ｋの底部および植物Ｐの根に水分を供給することができるとともに、客土層Ｋの乾燥を遅延させることができる。
【００５８】
また、透水シートと植栽用保水排水ブロック１の上面２との間に形成される空隙部には、蒸発水分によって湿気が充満し、透水シートの上側にある植物Ｐの根、あるいは土木用透水シートを突き破って侵入してきた植物Ｐの根に空隙部の酸素と水分あるいは養分水を供給することができる。
【００５９】
さらに、各植栽用保水排水ブロック１の上面２から溢れ出た余剰水は、前後側面３，４や左右側面５，６を伝って、あるいは、縦排水溝４１を経て屋上スラブＳの傾斜面ｓに達し、傾斜底面７の排水通路７１を通して排水される。
【００６０】
この結果、人工地盤などの傾斜面に客土層を形成する際、雨などに影響されることなく作業を行うことができる。また、植栽を施す際などに客土層Ｋ上に作業者が乗った場合においても、または、豪雨時においても、客土層Ｋは植栽用保水排水ブロック１によって安定して支持され、客土層Ｋが滑落することを確実に防止することができるとともに、屋上スラブＳの傾斜面ｓに形成された客土層Ｋにおける法尻側および法肩側の水分を均一に維持することができる。
【００６１】
さらに、図９および図１０には、本発明の植栽用保水排水ブロック１の他の実施形態が示されている。
【００６２】
この植栽用保水排水ブロック１は、高さが異なる２個の上面２Ａ，２Ｂと、下方の上面２Ａの前端縁に連続する前側面３と、上方の上面２Ｂの後端縁に連続し、前側面３と同一高さに形成された後側面４と、上方の上面２Ｂの前端縁および下方の上面２Ａの後端縁に連続する１個の中間前側面１０と、各上面２Ａ，２Ｂ、前後側面３，４および中間前側面１０の左右端縁にそれぞれ連続する左側面５および右側面６と、前後側面３，４および左右側面５，６の下端縁に連続し、屋上スラブＳの傾斜面ｓの勾配に対応する勾配に設定された傾斜底面７とを有して縦断面略階段状に形成されている。
【００６３】
そして、下方の上面２Ａには、該上面２Ａよりも陥没する貯水部８Ａが横方向に設定間隔をおいて複数個形成されている他、各貯水部８Ａには、頂面が上面２Ａよりも上方に突出して同一平面上に位置するように設定された凸部９Ａが縦横方向にそれぞれ設定間隔をおいて複数個ずつ形成されている。また、上面２Ａには、その前後端縁にかけて隣接する貯水部８Ａ，８Ａを区画する排水溝２１Ａが形成されるとともに、その前端縁には、前述した排水溝２１Ａの略半分の大きさの切欠部２１ｘが形成されている。
【００６４】
一方、上方の上面２Ｂにも、該上面２Ｂよりも陥没する貯水部８Ｂが横方向に設定間隔をおいて複数個形成されている他、各貯水部８Ｂには、頂面が上面２Ｂよりも上方に突出して同一平面上に位置するように設定された凸部９Ｂが縦横方向にそれぞれ設定間隔をおいて複数個ずつ形成されている。また、上面２Ｂには、その前後端縁にかけて隣接する貯水部８Ｂ，８Ｂを区画する排水溝２１Ｂが形成されるとともに、その後端縁には、前述した排水溝２１Ｂの略半分の大きさの切欠部２１ｘが形成されている。
【００６５】
この場合、下方の上面２Ａに形成された貯水部８Ａ、凸部９Ａおよび排水溝２１Ａと、上方の上面２Ｂに形成された貯水部８Ｂ、凸部９Ｂおよび排水溝２１Ｂとは、同一に設定されている。
【００６６】
また、傾斜底面７には、その後端縁から前端縁にかけて複数個の排水通路７１が形成されている。
【００６７】
さらに、中間前側面１０には、その上端縁から下端縁にかけて複数個の縦排水溝１０１が形成されるとともに、各縦排水溝１０１に連続して傾斜底面７の排水通路７に連通する排水孔１０１ａ（図１０参照）が形成されている。
【００６８】
また、前側面３または後側面４にも、縦排水溝を形成してもよい。
【００６９】
このような植栽用保水排水ブロック１を用いて屋上スラブＳを植栽緑化する場合も、前述した実施形態の場合と同様に施工される。
【００７０】
すなわち、まず、建物Ｂの屋上スラブＳの傾斜面ｓにその法尻から法肩に向かって法尻側の植栽用保水排水ブロック１の後側面４と法肩側の植栽用保水排水ブロック１の前側面３を突き合わせて順次配設し（図１１参照）、屋上スラブＳの傾斜面ｓに階段状に配設された複数個の植栽用保水排水ブロック１・・に透水シートを敷設した後、植栽用土壌を敷設して客土層Ｋを形成し、客土層Ｋを植栽緑化するものである。
【００７１】
ここで、法尻側の植栽用保水排水ブロック１の後側面４と法肩側の植栽用保水排水ブロック１の前側面３とを突き合わせた場合、前後側面３，４は同一高さであることから、法尻側の植栽用保水排水ブロック１の上方の上面２Ｂと、法肩側の植栽用保水排水ブロック１の下方の上面２Ａとが連続する平面を形成するように配設されるとともに、法尻側の植栽用保水排水ブロック１の上方の上面２Ｂの後端縁に形成された切欠部２１ｘと、法肩側の植栽用保水排水ブロック１の下方の上面２Ａの前端縁に形成された切欠部２１ｘとによって左右端縁にかけて排水溝２１が、それらの排水溝２１Ａ，２１Ｂと連続して形成される。
【００７２】
本実施形態の植栽用保水排水ブロック１においては、図７に示した実施形態の植栽用保水排水ブロック１と比較して、隣接する植栽用保水排水ブロック１の前側面３と後側面４との接触面積が増大することから、客土層Ｋをより安定して支持することができる。
【００７３】
この実施形態においても、各植栽用保水排水ブロック１の貯水部８Ａ，８Ｂに一定量の水を貯留することができることから、貯水部８Ａ，８Ｂからの蒸発水により客土層Ｋの底部および植物Ｐの根に水分を供給することができるとともに、客土層Ｋの乾燥を遅延させることができる。
【００７４】
また、透水シートと植栽用保水排水ブロック１の上面２との間に形成される空隙部には、蒸発水分によって湿気が充満することから、植物Ｐにとって好ましい生育環境を形成することができる。
【００７５】
さらに、各植栽用保水排水ブロック１の各貯水部８から溢れ出た余剰水は、排水路２１を経て、または、直接前後側面３，４や左右側面５，６を伝って屋上スラブＳの傾斜面ｓに達し、傾斜底面７の排水通路７１を通過して排水される。また、中間前側面１０の縦排水溝１０１および排水孔１０１ａを経ても傾斜底面７の排水通路７１に導かれ、屋上スラブＳの傾斜面ｓに沿って流下することになる。このため、各植栽用保水排水ブロック１毎に確実に排水することができ、法尻側の植栽用保水排水ブロック１に余剰水が集中するのを防止することができる。
【００７６】
この結果、人工地盤などの傾斜面に客土層を形成する際、雨などに影響されることなく作業を行うことができる。また、植栽を施す際などに客土層Ｋ上に作業者が乗った場合においても、または、豪雨時においても、客土層Ｋは植栽用保水排水ブロック１によって安定して支持され、客土層Ｋが滑落することを確実に防止することができるとともに、屋上スラブＳの傾斜面ｓに形成された客土層Ｋにおける法尻側および法肩側の水分を均一に維持することができる。
【００７７】
図９に示した実施形態においては、２個の上面２Ａ，２Ｂを有する植栽用保水排水ブロック１を例示したが、取扱性を阻害しない範囲でさらに多くの上面２を形成して多段とすることもできる。この際、最下方の上面２Ａと、最上方の上面２Ｂとの間に形成される１個以上の上面の大きさは、最下方の上面２Ａおよび最上方の上面２Ｂを足し合わせた大きさとなる。このように、さらに多段に形成すると、屋上スラブＳに運び込む植栽用保水排水ブロック１の個数が削減され、作業が軽減される利点がある。
【００７８】
また、図９に示した植栽用保水排水ブロック１についても、それらの左右側面５，６を突き合わせて左右方向にも配設することができる。この場合は、突き合わせ部に排水溝２１が形成されるように、各上面２，２Ａ，２Ｂの左右端縁に排水溝の略半分の大きさの切欠部２１ｘを形成することが好ましい。
【００７９】
さらに、図１２には、図９に示した植栽用保水排水ブロック１の変形例が示されている。
【００８０】
この植栽用保水ブロック１は、図１に示した植栽用保水排水ブロック１を複数個（図面においては５個）一体に成形したものであるが、図７に示した植栽用保水排水ブロック１を複数個一体に形成してもよく、その個数は任意に設定される。
【００８１】
この実施形態においては、前側面３に縦排水溝３１が形成される他、任意の１個の中間前側面１０にその上端縁から下端縁にかけて複数個の縦排水溝１０１が形成されるとともに、各縦排水溝１０１と傾斜底面７の排水通路７とに連通する排水孔１０１ａが形成された場合を示している。
【００８２】
このような植栽用保水排水ブロック１を用いて屋上スラブＳを植栽緑化する場合も、前述した手順にしたがって行えばよく、その詳細な説明は省略する。
【００８３】
この実施形態においても、人工地盤などの傾斜面に客土層を形成する際、雨などに影響されることなく作業を行うことができる。また、植栽を施す際などに客土層Ｋ上に作業者が乗った場合においても、または、豪雨時においても、客土層Ｋは植栽用保水排水ブロック１によって安定して支持され、客土層Ｋが滑落することを確実に防止することができるとともに、屋上スラブＳの傾斜面ｓに形成された客土層Ｋにおける法尻側および法肩側の水分を均一に維持することができる。
【００８４】
なお、前述した実施形態においては、人工地盤としての建物Ｂの屋上スラブＳの傾斜面ｓに植栽用保水排水ブロック１を配設した場合を例示したが、このような人工地盤に配設する場合に限定するものではなく、例えば、道路や河川などの盛土の傾斜面に配設して植栽を施すようにしてもよい。
【００８５】
【発明の効果】
以上のように本発明によれば、植栽用保水排水ブロックを人工地盤などの傾斜面に、法尻側の植栽用保水排水ブロックの後側面と法肩側の植栽用保水排水ブロックの前側面とを突き合わせて順次配設することができる。そして、階段状に形成された複数個の植栽用保水排水ブロックに透水シートを介して植栽用土壌を敷設して客土層を形成することができる。
【００８６】
この結果、人工地盤などの傾斜面に客土層を形成する際、雨などに影響されることなく作業を行うことができるとともに、客土層上に作業者が乗った場合や豪雨時においても、客土層は階段状に形成された複数個の植栽用保水排水ブロックによって安定して支持され、客土層の滑落を確実に防止することができる。また、客土層に散布された灌水や雨水は、客土層および透水シートを浸透して各植栽用保水排水ブロックの貯水部に一旦貯留され、蒸発水として客土層の底部を潤して客土層の乾燥を遅延させることから、客土層の法尻側および法肩側の水分を均一に維持することができる。さらに、貯水部から溢れ出た余剰水は、前後側面や左右側面を伝って人工地盤などの傾斜面に達し、傾斜底面の排水通路を通過して速やかに排水される。
【００８７】
また、本発明によれば、客土層に散水された灌水や雨水は、各植栽用保水排水ブロックの貯水部に一旦貯留されるので、この貯水部からの蒸発水により客土層の底部に水分を供給することができる。したがって、客土層に植栽を施した場合、植物の根は、客土層に供給された水分を吸水することができるとともに、透水シートを突き破って侵入してきた植物の根は、貯水部に貯留された水から直接吸水することができ、植物を順調に生育することができる。
【図面の簡単な説明】
【図１】本発明の植栽用保水排水ブロックの一実施形態を示す斜視図である。
【図２】図１の植栽用保水排水ブロックの側面図である。
【図３】図１の植栽用保水排水ブロックの正面図である。
【図４】図１の植栽用保水排水ブロックの背面図である。
【図５】図１の植栽用保水排水ブロックを人工地盤などの傾斜面に沿って複数個配設した状態を一部破断して示す側面図である。
【図６】図１の植栽用保水排水ブロックを用いて人工地盤などの傾斜面に植栽を施した状態を示す横断面図である。
【図７】本発明の植栽用保水排水ブロックの一実施形態の変形例を一部省略して示す斜視図である。
【図８】図７の植栽用保水排水ブロックを人工地盤などの傾斜面に沿って複数個配設した状態を一部破断して示す側面図である。
【図９】本発明の植栽用保水排水ブロックの他の実施形態を一部省略して示す斜視図である。
【図１０】図９の植栽用保水排水ブロックを一部破断して示す側面図である。
【図１１】図９の植栽用保水排水ブロックを人工地盤などの傾斜面に沿って複数個配設した状態を一部破断して示す側面図である。
【図１２】本発明の植栽用保水排水ブロックの他の実施形態の変形例を示す斜視図である。
【符号の説明】
１  植栽用保水排水ブロック
２，２Ａ，２Ｂ  上面
２１，２１Ａ，２１Ｂ  排水溝
３  前側面
３１  縦排水溝
４  後側面
４１  縦排水溝
５  左側面
６  右側面
７  傾斜底面
７１  排水通路
８，８Ａ，８Ｂ  貯水部
９，９Ａ，９Ｂ  凸部
１０  中間前側面
１０１  縦排水溝
１０１ａ  排水孔
Ｓ  屋上スラブ
ｓ  傾斜面
Ｋ  客土層
Ｐ  植物
【図１】
0003598248.tif 000002
【図２】
0003598248.tif 000003
【図３】
0003598248.tif 000004
【図４】
0003598248.tif 000005
【図５】
0003598248.tif 000006
【図６】
0003598248.tif 000007
【図７】
0003598248.tif 000008
【図８】
0003598248.tif 000009
【図９】
0003598248.tif 000010
【図１０】
0003598248.tif 000011
【図１１】
0003598248.tif 000012
【図１２】
0003598248.tif 000013